(57)【特許請求の範囲】
【請求項１】
部屋内を仕切る間仕切り壁どうしを連結してなる連結間仕切り壁であって、
前記間仕切壁は、平行離間して対向配置された面材と、両面材間に設けられた壁本体と、前記両面材間に設けられた芯材と、前記両面材間の前記壁本体と前記芯材との間に配置されるとともに上下に延在して設けられた補強芯材と、を備え、
前記補強芯材は、平断面視略Ｓ字型をなし、かつ、
前記両面材にそれぞれ当接しかつ同形状の一対の第１当接部と、前記両面材にそれぞれ当接しかつ同形状の一対の第２当接部と、前記一対の第１当接部どうしを接続する１つの第１接続部と、一方の面材に当接する第１当接部と他方の面材に当接する第２当接部とを接続する２つの第２接続部と、を備え、
前記第１当接部どうしおよび第２当接部どうしは、一の点に対して点対称に配置され、
前記２つの第２接続部のうち一方の第２接続部は、前記壁本体に当接し、他方の第２接続部は、前記芯材に当接しており、
前記間仕切り壁の左右側端面及び上下端面には、それぞれ凹溝が設けられており、
互いに隣接する間仕切り壁どうしは、左右側端面の前記凹溝に連結部材を嵌めこみ、かつ、上下端面の前記凹溝に連結部材を一方の間仕切り壁から他方の間仕切り壁に渡すようにして嵌めこむことにより、連結されていることを特徴とする連結間仕切り壁。
【請求項２】
請求項１記載の連結間仕切り壁において、
前記壁本体は、ハニカムコア材から形成されていることを特徴とする連結間仕切り壁。
【請求項３】
請求項１または２記載の連結間仕切り壁が、床面と天井面との間に設置されてなる間仕切り壁の設置構造であって、
前記床面に少なくとも一の収納家具が設置されており、
前記収納家具に前記間仕切り壁が固定されていることを特徴とする間仕切り壁の設置構造。
【請求項４】
請求項３記載の間仕切り壁の設置構造において、
前記間仕切り壁の一方の端部が前記収納家具に固定され、他方の端部が、前記部屋を形成する壁面に固定されていることを特徴とする間仕切り壁の設置構造。
【請求項５】
請求項４記載の間仕切り壁の設置構造において、
前記収納家具に建具を備えた少なくとも一の建具ユニットが連接されてユニット壁が構成されており、
このユニット壁の端部のうち、前記間仕切り壁に固定されていない側の端部は、前記部屋を形成する壁面に固定されていることを特徴とする間仕切り壁の設置構造。
【請求項６】
請求項３〜５のいずれかに記載の間仕切り壁の設置構造において、
前記間仕切り壁の端部と前記収納家具の端部とは、該収納家具の内側の側面から、前記間仕切り壁に向けて止着材が打ち込まれ、またはねじ込まれることによって固定されていることを特徴とする間仕切り壁の設置構造。
【請求項７】
請求項３〜６のいずれかに記載の間仕切り壁の設置構造において、
前記間仕切り壁の下端面と床面との間には、弾性部材が介在されていることを特徴とする間仕切り壁の設置構造。
【発明の詳細な説明】
【０００１】
【発明の属する技術分野】
本発明は、部屋内を仕切る間仕切り壁どうしを連結してなる連結間仕切り壁および、連結間仕切り壁が床面と天井面との間に設置されてなる間仕切り壁の設置構造に関するものである。
【０００２】
【背景の技術】
一般に、部屋と部屋との間には間仕切り壁が設けられており、この間仕切り壁によって部屋内が仕切られている。ここで、間仕切り壁等に使用される遮音壁として、例えば、特開平３−１０７０４５号公報記載の技術が挙げられる。
この技術における、遮音壁は、前壁と後壁との間に、間柱を介在させることによって構成されている。前記間柱は、鋼板の間に制振材を挿入して一体的に積層した制振鋼板からなるものであり、この間柱によって遮音性を向上させている。
【０００３】
【発明が解決しようとする課題】
ところで、前記特開平３−１０７０４５号公報記載の遮音壁において、前記前壁と後壁との間に介在される間柱は、平断面視略Ｃ字型をなしている。つまり、間柱は、前壁と後壁とにそれぞれ当接し、かつ、同形状の一対の当接部と、この一対の当接部どうしを接続する接続部とを備えており、一対の当接部が、前壁と後壁とにそれぞれ当接する面積は、ともに等しくなっている。
しかし、この間柱は、上述したように平断面視略Ｃ字型をなしているので、間柱の一方の側端部が開放されている。つまり、一対の当接部の一方の端部どうしが前記接続部に接続されているので、当接部のうちの前記接続部に接続されている側の前壁と後壁とは補強性に優れるが、当接部のうちの接続部に接続されていない側の前壁と後壁とは補強性に欠けていた。したがって、遮音壁全体としての強度はあまり良くなかった。
【０００４】
本発明は、上記事情に鑑みてなされたもので、強度により一層優れた、連結間仕切り壁および間仕切り壁の設置構造を提供することを課題としている。
【０００５】
【課題を解決するための手段】
上記課題を解決するために、請求項１の発明は、例えば、図２(a)および図３に示すように、部屋６１内を仕切る間仕切り壁５どうしを連結してなる連結間仕切り壁１であって、
前記間仕切り壁５は、平行離間して対向配置された面材９，９と、両面材９，９間に設けられた壁本体６と、前記両面材９，９間に設けられた芯材１７と、前記両面材９，９間の前記壁本体６と前記芯材１７との間に配置されるとともに上下に延在して設けられた補強芯材７，７とを備え、
前記補強芯材７は、平断面視略Ｓ字型をなし、かつ、
前記両面材９，９にそれぞれ当接しかつ同形状の一対の第１当接部７a,７aと、前記両面材９，９にそれぞれ当接しかつ同形状の一対の第２当接部７b,７bと、前記一対の第１当接部７a,７aどうしを接続する１つの第１接続部７cと、一方の面材９に当接する第１当接部７a,７aと他方の面材９に当接する第２当接部７b,７bとを接続する２つの第２接続部７b,７bと、を備え、
前記第１当接部７a,７aどうしおよび第２当接部７b,７bどうしは、一の点に対して点対称に配置され、
前記２つの第２接続部７d,７dのうち一方の第２接続部７d,７dは、前記壁本体６に当接し、他方の第２接続部７dは、前記芯材１７に当接しており、
前記間仕切り壁５の左右側端面及び上下端面には、それぞれ凹溝１０，１０が設けられており、
互いに隣接する間仕切り壁５，５どうしは、左右側端面の前記凹溝１０，１０に連結部材（例えば、縦連結部材１２a）を嵌めこみ、かつ、上下端面の前記凹溝１０，１０に連結部材１１,１１（例えば、横連結部材１１a,１１b）を一方の間仕切り壁5から他方の間仕切り壁5に渡すようにして嵌めこむことにより、連結されていることを特徴とする。
【０００６】
請求項１の発明によれば、面材９，９と、壁本体６と、補強芯材７，７とを備え、前記補強芯材７は、平断面視略Ｓ字型をなし、かつ、一対の第１当接部７a,７aと一対の第２当接部７b,７bとを備えているので、補強芯材７の両面材９，９に当接する面積がそれぞれ等しくなり、どちらの面材９，９も等しく補強される。したがって、間仕切り壁５全体としての強度をより一層向上させることができる。
また、前記補強芯材７は、平断面視略Ｓ字型をなしているので、従来のように平断面視略Ｃ字型である場合に比して、補強芯材７が両面材９，９にバランス良く当接し、どちらの面材９，９も等しく補強される。したがって、この点においても間仕切り壁５全体としての強度を向上させることができる。
【０００７】
前記面材９としては、例えば、オレフィン合板やプリント合板等が挙げられる。
【０００９】
また、前記第１当接部７a,７aどうしおよび第２当接部７b,７bどうしは、一の点に対して点対称に配置されているので、両面材９，９にバランス良く補強芯材７，７が当接することによって、強度に優れた間仕切り壁５とすることができる。
また、互いに隣接する間仕切り壁５，５どうしは、間仕切り壁５の左右側端面に形成された凹溝１０，１０に、連結部材１２aを嵌めこむことにより連結されているので、容易に連結間仕切り壁１とすることができるとともに、強固に連結された連結間仕切り壁１とすることができる。
さらに、互いに隣接する間仕切り壁５，５どうしは、間仕切壁５の上下端面に形成された凹溝１０，１０に、連結部材１１，１１を嵌めこむことにより連結されているので、容易に連結間仕切り壁１とすることができるとともに、より強固に連結された連結間仕切り壁１とすることができる。
【００１０】
請求項２の発明は、例えば、図２(a)に示すように、請求項１記載の連結間仕切り壁１において、
前記壁本体６は、ハニカムコア材から形成されていることを特徴とする。
【００１１】
請求項２の発明によれば、前記壁部材６は、ハニカムコア材から形成されているので、膨れや反り、曲がり等の変形がなく、しかも強度に優れた軽量な間仕切り壁５とすることができる。
【００１６】
請求項３の発明は、例えば、図３および図１０に示すように、請求項１または２記載の連結間仕切り壁１を、床面２０と天井面との間に設置されてなる間仕切り壁５の設置構造であって、
前記床面２０に少なくとも一の収納家具５１が設置されており、
前記収納家具５１に前記間仕切り壁５が固定されていることを特徴とする。
【００１７】
請求項３の発明によれば、前記床面２０に少なくとも一の収納家具５１が設置されており、前記収納家具５１に前記間仕切り壁５が固定されているので、前記間仕切り壁５を床面２０上に自立させることができるとともに、間仕切り壁５と収納家具５１とによって部屋６１内を容易に仕切ることができる。
【００１８】
また、例えば、模様替えを行う場合でも、前記間仕切り壁５は、床面２０と天井面とに固定されずに、前記収納家具５１に固定されているので、容易にこの収納家具５１から間仕切り壁５を取り外すことができる。
さらに、床面２０や天井面に傷をつけることもなく、間仕切り壁５を取り外したあとの見栄えが悪くなることもない。
【００１９】
請求項４の発明は、例えば、図１０に示すように、請求項３記載の間仕切り壁５の設置構造において、
前記間仕切り壁５の一方の端部が前記収納家具５１に固定され、他方の端部が、前記部屋６１を形成する壁面６７に固定されていることを特徴とする。
【００２０】
請求項４の発明によれば、前記間仕切り壁５の一方の端部が前記収納家具５１に固定され、他方の端部が、前記部屋６１を形成する壁面６７に固定されているので、間仕切り壁５の両端部がそれぞれ固定された状態となり、より確実に間仕切り壁５を床面２０上に設置することができるとともに、間仕切り壁５と収納家具５１とによって、部屋６１内に仕切りを形成することができる。
【００２１】
請求項５の発明は、例えば、図１０に示すように、請求項４記載の間仕切り壁５の設置構造において、
前記収納家具５１に建具２５を備えた少なくとも一の建具ユニット２１が連接されてユニット壁６２が構成されており、
このユニット壁６２の端部のうち、前記間仕切り壁５に固定されていない側の端部は、前記部屋６１を形成する壁面６４に固定されていることを特徴とする。
【００２２】
請求項５の発明によれば、前記収納家具５１に建具ユニット２１が連接されて構成されたユニット壁６２の端部のうち、前記間仕切り壁５に固定されていない側の端部は、前記部屋６１を形成する壁面６４に固定されているので、前記ユニット壁６２の両端部が間仕切り壁５と前記壁面６４とに固定された状態となり、床面２０上に、より確実にユニット壁６２を設置することができるとともに、間仕切り壁５とユニット壁６２とによって部屋６１内を完全に仕切ることができる。
また、前記ユニット壁６２は建具ユニット２１を備えているので、この建具ユニット２１の建具２５を開閉することによって、仕切られた部屋６１内の行き来を自由に行うことができる。
【００２３】
請求項６の発明は、例えば、図９に示すように、請求項３〜５のいずれかに記載の間仕切り壁５の設置構造において、
前記間仕切り壁５の端部と前記収納家具５１の端部とは、該収納家具５１の内側の側面（例えば、側板５２）から、前記間仕切り壁５に向けて止着材（例えば、ビス６６）が打ち込まれ、またはねじ込まれることによって固定されていることを特徴とする。
【００２４】
請求項６の発明によれば、前記間仕切り壁５の端部と前記収納家具５１の端部とは、該収納家具５１の内側の側面５２から、前記間仕切り壁５に向けて止着材６６が打ち込まれ、またはねじ込まれることによって固定されているので、打ち込まれた止着材６６または、ねじ込まれた止着材６６が外側からは見えず、間仕切り壁５と収納家具５１との接合部の見栄えが良い。
【００２５】
前記止着材としては、例えば、木ねじやビス６６等が挙げられる。
【００２６】
請求項７の発明は、例えば、図１および図３に示すように、請求項３〜６のいずれかに記載の間仕切り壁５の設置構造において、
前記間仕切り壁５の下端面と床面２０との間には、弾性部材１４が介在されていることを特徴とする。
【００２７】
請求項７の発明によれば、前記間仕切り壁４の下端面と床面２０との間には、弾性部材１４が介在されているので、この弾性部材１４によって、床面２０上に設置された間仕切り壁５をずれることなく、確実に設置することができ、防震性を向上させることができるとともに、床面２０と間仕切り壁５との間の光漏れ等も防げる。
【００２８】
前記弾性部材１４とは、例えば、発泡ウレタンやエラストマー等から形成されるゴム等が挙げられる。
【００２９】
【発明の実施の形態】
以下、本発明の実施の形態を図面に基づいて説明する。
本発明の実施の形態の間仕切り壁５は、図２(a)および図３に示すように、部屋６１内を仕切るものであって、平行離間して対向配置された面材９，９と、両面材９，９間に設けられた壁本体６と、両面材９，９間に上下に延在して設けられた補強芯材７，７とを備えている。
【００３０】
前記面材９としては、例えば、オレフィン合板や、プリント合板等が使用されている。
前記壁本体６は、板状のハニカムコア材から形成されている。そして、この壁本体６の左右側端面には、前記補強芯材７，７が酢酸ビニル等の接着剤によって固定されており、この補強芯材７の外側には、平断面視矩形状の芯材１７,１７がそれぞれ設けられている。
【００３１】
前記補強芯材７は、図２(a)に示すように、平断面視略Ｓ字型をなし、かつ、両面材９，９にそれぞれ当接しかつ同形状の一対の第１当接部７a,７aと、両面材９，９にそれぞれ当接しかつ同形状の一対の第２当接部７b,７bと、第１当接部７a,７aどうしを接続する第１接続部７cと、一方の面材９に当接する第１当接部７aと他方の面材９に当接する第２当接部７bとを接続する第２接続部７d,７dとを備えている。
【００３２】
前記第１接続部７cと、第２接続部７d,７dとは、両面材９，９が所定間隔を隔てるようにして支持しており、第２接続部７d,７dは、壁本体６や芯材１７に当接している。
また、前記第１当接部７a,７aの長さは、第２当接部７b,７bの長さよりも長くなっており、第１接続部７cの長さと第２接続部７d,７dの長さとは等しくなっている。
さらに、第１当接部７a,７aどうしおよび第２当接部７b,７bどうしは、一の点に対して点対称に配置されている。つまり、前記第１接続部７cの中央に位置する点に対して点対称に配置されている。
なお、補強芯材７の第１当接部７a.７aの長さを長く形成し、第１接続部７cや第２接続部7d,７dの長さを短く形成すれば、両面材９，９に当接する面積が広くなり、面材９，９間の距離が狭くなるので、厚さが薄くても、より強度が強く、かつ、軽い間仕切り壁５とすることができる。また、この補強芯材７は、間仕切り壁５以外にも、引き戸や開き戸用のドア等にも使用することができる。
【００３３】
次に、連結間仕切り壁について説明する。
図１に示すように、連結間仕切り壁１は、互いに隣接する間仕切り壁５，５どうしを連結してなるものである。
すなわち、間仕切り壁５の上下端面および左右側端面には、それぞれ凹溝１０，…が設けられており、この凹溝１０，…にそれぞれ後述する連結部材１１，１２が嵌めこまれることによって、互いに隣接する間仕切り壁５，５が連結されて連結間仕切り壁１とされている。
【００３４】
前記凹溝１０，…は、前記面材９の横方向の長さが、前記壁本体６、補強芯材７，７、芯材１７，１７からなるパネル本体８の横方向の長さよりも長くなっており、さらに、面材９の縦方向の長さが、前記パネル本体８の縦方向の長さよりも長くなっているために設けられるものである。
前記凹溝１０の幅は、該凹溝１０に嵌めこまれる連結部材１１，１２の幅の略半分となっており、この凹溝１０に連結部材１１，１２が嵌めこまれると、凹溝１０から連結部材１１，１２が突出するようになっている。
【００３５】
前記連結部材１１，１２は、スチール製のパイプであり、平断面視矩形状で、その幅が約１４ｍｍである。連結部材１１，１２は、２つの間仕切り壁５，５の上下端面に設けられる横連結部材１１a,１１bと、左右側端面に設けられる縦連結部材１２a,１２bとがある。
【００３６】
そして、図２(b)に示すように、互いに隣接する間仕切り壁５，５は、それぞれの側面を互いに対向させるとともに、これら側面どうしの間に前記縦連結部材１２aが、間仕切り壁５，５の側端面に設けられた凹溝１０，１０にそれぞれ嵌めこまれている。
ここで、縦連結部材１２aが、一方の間仕切り壁５の凹溝１０と他方の間仕切り壁５の凹溝１０とに嵌めこまれることによって、２つの間仕切り壁５，５の側端面の間には、縦連結部材１２aによる底目地５aが設けられている。
【００３７】
また、図２(c)に示すように、互いに隣接する間仕切り壁５，５のうちの一方の間仕切り壁５で、前記縦連結部材１２aが設けられていない側の側端面には縦連結部材１２bが、間仕切り壁５の前記凹溝１０に嵌めこまれている。この凹溝１０に嵌めこまれた縦連結部材１２bは、その一部が凹溝１０から突出した状態となっている。
【００３８】
さらに、図１に示すように、間仕切り壁５，５の上端面に設けられた凹溝１０，１０に、横連結部材１１aが、一方の間仕切り壁５から他方の間仕切り壁５に渡すようにして嵌めこまれている。この横連結部材１１aと間仕切り壁５，５とは、ビス１３が横連結部材１２aから間仕切り壁５，５に向けて打ち込まれることによって、固定されている。
【００３９】
また、間仕切り壁５，５の下端面に設けられた凹溝１０，１０に、横連結部材１１bが、一方の間仕切り壁５から他方の間仕切り壁５に渡すようにして嵌めこまれている。この間仕切り壁５の下端面に取り付けられた横連結部材１１bは、その下面に防震用の弾性部材１４であるゴムが両面テープによって、固定されている。
【００４０】
このように縦連結部材１２a,１２bおよび横連結部材１１a,１１bを設けることによって、間仕切り壁５，５どうしの間の接合部の強度を上げるとともに、間仕切り壁５，５どうしが連結され、連結間仕切り壁１が形成されている。
なお、前記連結部材１１，１２の表裏面にはタックシート（図示しない）が貼りつけられている。
【００４１】
また、互いに隣接する間仕切り壁５，５（横連結部材１１a）の上端面には、幕板３が設けられており、一方の間仕切り壁５の左右側端面のうちの一方の側面には、縦框材４が設けられている。
前記縦框材４は、図２(c)に示すように、前記一方の間仕切り壁５の側面に取り付けられた縦連結部材１２bの外側に設けられている。つまり、縦框材４の側面には凹溝１５が設けられており、この凹溝１５から、後述する部屋６１を形成する壁面６７に向けてビス６８（図９参照）が打ち込まれるようになっており、さらに、この凹溝１５に、間仕切り壁５の側面から突出した縦連結部材１２bが嵌めこまれるようになっている。（図２(c)参照）
【００４２】
また、他方の間仕切り壁５の左右側端面のうち、前記縦連結部材１２aが取り付けられていない側の側面には、該側面に設けられた凹溝１０を塞ぐようにして、エッジ材１６が取り付けられている。（図１および図９参照）
このエッジ材１６は、木粉と樹脂と顔料とを含む木質様材料を溶融し、所要形状に成形してなるものである。前記木粉は、例えば、住宅等の建物を解体した際に排出される木質廃材や、建物建築中に排出される端材、おが屑等の木質廃材や、バカス、稲藁等の天然木材を粉砕することによって得られる木粉である。前記樹脂は、例えば、塩化ビニル樹脂、発泡塩化ビニル樹脂、ポリエチレン樹脂、フェノール樹脂、ウレタン樹脂、ポリウレタン樹脂、ＡＢＳ樹脂、ポリスチレン樹脂等である。
【００４３】
このようにして、エッジ材１６を木粉と樹脂と顔料とを含む木質様材料から形成することによって、木質感のあるエッジ材１６とすることができる。
なお、このエッジ材１６が取り付けられている側の間仕切り壁５の端部が、後述する収納家具５１の側板５２に固定されるようになっている。
【００４４】
次に、建具ユニット２１について説明する。図３に示すように、建具ユニット２１は、木質系素材から形成されており、互いに平行に対向配置された矩形板状の側板２２，３９と、これら側板２２，３９の上端部に、該側板２２，３９に対して直交するように設けられた矩形板状の天板２３とを備えたユニット本体２４と、このユニット本体２４の、前記側板２２，３９と直交する両面のうちの片面に設けられた建具２５とを備えている。
【００４５】
前記側板２２，３９の幅は、後述する収納家具５１の側板５２の幅に等しくなっている。
前記一方の側板２２の内面には、図４および図５に示すように、該側板２２の上下方向に沿って長尺な縦枠２６が設けられていて、この縦枠２６には、該縦枠２６に嵌合するようにして長尺な板状の戸当たり２７が設けられている。
また、前記縦枠２６には建具２５が設置されるための蝶番２８が、縦枠２６の長手方向に沿って３つ取りつけられている。（図３参照）
【００４６】
前記蝶番２８は、図６に示すように、ルーズピンタイプの蝶番２８で、２つの羽根部２９，３０と、該羽根部２９，３０が挿入される芯棒３１とを備えている。
前記羽根部２９，３０は、芯棒３１が挿入される筒部３２，３３と、該筒部３２，３３に一体に形成されている板状の取付部３４，３５とを備えている。
２つの羽根部２９，３０のうち一方の羽根部２９の取付部３４には、ねじ穴３６が５つ形成されており、他方の羽根部３０の取付部３５には、ねじ穴３７が２つ形成されている。
【００４７】
そして、図６および図７に示すように、芯棒３１に２つの羽根部２９，３０の筒部３２，３３が挿入されて、一方の羽根部２９が前記側板２２の内面に設けられた縦枠２６に設けられ、ねじ穴３６にねじ３６aがねじ込まれることによって固定されている。また、他方の羽根部３０は、建具２５の側面に設けられており、同様に、ねじ穴３７にねじ３７aがねじ込まれることによって固定されている。
なお、リング状の金具３８は、芯棒３１に挿入された羽根部２９，３０どうしの間に介在されている。（図６参照）
このようにして蝶番２８の芯棒３１を軸として建具２５は開閉自在となっており、建具２５はユニット本体２４の内側に向けて開かれるようになっている。
【００４８】
一方、図５に示すように、他方の側板３９の内面にも、前記一方の側板２２と同様に上下方向に沿って長尺な縦枠４０が設けられていて、この縦枠４０には、該縦枠４０に嵌合するようにして長尺な板状の戸当たり４１が設けられている。
この他方の側板３９に設けられた縦枠４０には、該縦枠４０の上下方向に沿って凹溝４０aが形成されており、この凹溝４０aに、建具２５の蝶番２８が取りつけられていない側の側端部に取り付けられたラッチボルト４２が嵌めこまれるようになっている。
また、前記戸当たり４１にはモヘア４３が設けられている。
【００４９】
前記収納家具５１は、図３、図４、図８に示すように、建具ユニット２１と同じ木質系素材から形成されており、互いに平行に対向配置された矩形板状の側板５２，５２と、これら側板５２，５２の上端部に、該側板５２，５２に対して直交するように設けられた天板５３と、側板５３と直交する両面のうちの片面に設けられた建具５４と、該建具５４に対向するように設けられた背板５５と、前記天板５３に対向するように設けられた底板５６とを備えている。
【００５０】
前記建具５４は両開きである。
前記底板５６は、図８に示すように、２つの側板５２，５２と背板５５との間に挟まれた状態で、床面２０から離れて設けられている。つまり、床面２０上には前板５７が設置されており、この前板５７が底板５６の前面に取り付けられることによって、底板５６は床面２０から離れた状態で支持されている。
このようにして構成された収納家具５１は、床面２０上に固定された４つの固定部５８によって床面２０上に設置されるようになっている。
【００５１】
前記固定部５８は、床面２０上で前記底板５６の四隅にあたる箇所に固定されており、前記底板５６の四隅から、この固定部５８にビス５９が打ち込まれることによって、収納家具５１は床面２０上に設置されるようになっている。
【００５２】
次に、部屋６１内の床面２０と天井面との間に、前記連結間仕切り壁１、収納家具５１、建具ユニット２１が設置されてなる間仕切り壁５の設置構造について説明する。
図３および図１０に示すように、床面２０に収納家具５１，５１が２つ互いに隣接して設置されており、一方の収納家具５１には、建具ユニット２１が連接されてユニット壁６２が構成されている。
【００５３】
収納家具５１，５１どうしは、一方の収納家具５１の内側の側板５２から他方の収納家具５１の内側の側板５２にビス（図示しない）が打ち込まれることによって固定されている。
収納家具５１と建具ユニット２１とは、図５に示すように、収納家具１の内側の側板５２から建具ユニット２１の側板２２にビス６３が打ち込まれることによって固定されている。
【００５４】
また、２つの収納家具５１，５１と建具ユニット２１とは、図３に示すように、収納家具５１，５１の天板５３，５３および、建具ユニット２１の天板２３の上面に設けられた化粧枠４４によって連結されている。したがって、この化粧枠４４によって収納家具５１，５１と建具ユニット２１とは、一体感のあるユニット壁６２とすることができる。
【００５５】
そして、このユニット壁６２が、部屋６１のコーナー部を形成する壁面のうちの一方の壁面６４に直交するように設置されている。つまり、前記一方の壁面６４に、ユニット壁６２の端部が当接しており、ユニット壁６２を構成する建具ユニット２１の内側の側板３９から前記一方の壁面６４にビス６５が打ち込まれることによって固定されている。（図５参照）
【００５６】
一方、ユニット壁６２の他方の端部には、連結間仕切り壁１が隣接設置されている。つまり、ユニット壁６２を構成する収納家具５１の端部と連結間仕切り壁１の端部（すなわち、連結間仕切り壁１を構成する間仕切り壁５に設けられたエッジ材１６側の端部）とが当接している。
そして、収納家具５１の端部と、間仕切り壁５の端部とは、図９に示すように、収納家具５１の内側の側板５２から間仕切り壁５の端部に向けてビス６６が打ち込まれることによって固定されている。
【００５７】
前記連結間仕切り壁１の端部のうち、ユニット壁６２の端部に固定されていない側の他方の端部は、図９に示すように、部屋６１のコーナー部を形成する壁面のうちの他方の壁面６７に直交するように設置されている。
つまり、前記他方の壁面６７に、連結間仕切り壁１の端部（すなわち、連結間仕切り壁１を構成する間仕切り壁５の前記縦框材４）が当接しており、間仕切り壁５の縦框材４に設けられた凹溝１５から前記壁面６７にビス６８が打ち込まれることによって固定されている。
【００５８】
本発明の第１の実施の形態の間仕切り壁５によれば、面材９，９と、壁本体６と、補強芯材７，７とを備え、補強芯材７は、平断面視略Ｓ字型をなし、かつ、一対の第１当接部７a,７aと一対の第２当接部７b,７bとを備え、さらに、第１当接部７a,７aどうしおよび第２当接部７b,７bどうしは、一の点に対して点対称に配置されているので、補強芯材７の両面材９，９に当接する面積がそれぞれ等しくなるとともに、バランス良く当接することによって、どちらの面材９，９も等しく補強される。したがって、間仕切り壁５全体としての強度をより一層向上させることができる。
【００５９】
また、前記補強芯材７は、第１接続部７cと第２接続部７d,７dとを備えており、従来に比して、この接続部７c,７d,７dの数が多く、これら第１接続部７cと第２接続部７d,７dとによって、両面材９，９が所定間隔を隔てるように支持されているので、この点においても間仕切り壁５の強度をより向上させることができる。
【００６０】
また、壁部材６は、ハニカムコア材から形成されているので、膨れや反り、曲がり等の変形がなく、しかも強度に優れた軽量な間仕切り壁５とすることができる。
【００６１】
本発明の第１の実施の形態の連結間仕切り壁１によれば、互いに隣接する間仕切り壁５，５どうしが、間仕切り壁５，５の上下端面および左右側端面に形成された凹溝１０，…に、連結部材１１，１１，１２を嵌めこむことにより連結されているので、容易に連結間仕切り壁１とすることができるとともに、強固に連結された連結間仕切り壁１とすることができる。
【００６２】
本発明の第１の実施の形態の間仕切り壁５の設置構造によれば、床面２０に少なくとも一の収納家具５１が設置されており、収納家具５１に間仕切り壁５が固定されているので、間仕切り壁５を床面２０上に自立させることができるとともに、間仕切り壁５と収納家具５１とによって部屋６１内を仕切ることができる。
【００６３】
また、例えば、模様替えを行う場合でも、間仕切り壁５は、収納家具５１に固定されているので、容易にこの収納家具５１から間仕切り壁５を取り外すことができる。さらに、床面２０や天井面に傷をつけることもなく、間仕切り壁５を取り外したあとの見栄えが悪くなることもない。
間仕切り壁５が固定された収納家具５１には、様々なものを収納することもでき、スペースの有効利用を図れる。
【００６４】
間仕切り壁５の一方の端部が収納家具５１に固定され、他方の端部が、部屋６１を形成する壁面６７に固定されているので、間仕切り壁５の両端部がそれぞれ固定された状態となり、より確実に間仕切り壁５を床面２０上に設置することができるとともに、間仕切り壁５と収納家具５１とによって、部屋６１内に仕切りを形成することができる。
【００６５】
前記収納家具５１に建具ユニット２１が連接されて構成されたユニット壁１の端部のうち、間仕切り壁５に固定されていない側の端部は、部屋６１を形成する壁面６４に固定されているので、ユニット壁６２の両端部が間仕切り壁５と壁面６４とに固定された状態となり、床面２０上により確実にユニット壁６２を設置することができるとともに、間仕切り壁５とユニット壁６２とによって部屋６１内を完全に仕切ることができる。
また、ユニット壁６２は建具ユニット２１を備えているので、この建具ユニット２１を開閉することによって、仕切られた部屋６１内の行き来を自由に行うことができる。
【００６６】
間仕切り壁５の端部と収納家具５１の端部とは、該収納家具５１の内側の側板５２から、間仕切り壁５に向けてビス６６が打ち込まれることによって固定されているので、打ち込まれたビス６６が外側からは見えず、間仕切り壁５と収納家具５１との接合部の見栄えが良い。
【００６７】
間仕切り壁５の下端面と床面２０との間には、弾性部材１４が介在されているので、この弾性部材１４によって、床面２０上に設置された間仕切り壁５をずれることなく、確実に設置することができ、防震性を向上させることができるとともに、床面２０と間仕切り壁５との間の光漏れ等も防げる。
【００６８】
次に、本発明の第２の実施の形態における連結間仕切り壁１を設置してなる間仕切り壁５の設置構造について説明する。
なお、以下の第２〜第７の実施の形態において、連結間仕切り壁１の端部と収納家具５１の端部とを固定する方法、連結間仕切り壁１と部屋を形成する壁面６４，６７とを固定する方法等、一度説明したものに関してはその説明を省略する。
【００６９】
図１１に示すように、床面２０に収納家具５１，５１が２つ設置されており、この２つの収納家具５１，５１の間に前記建具ユニット２１が設置されてユニット壁６２が構成されている。
そして、このユニット壁６２が、部屋６１のコーナー部を形成する壁面のうちの一方の壁面６４に直交するように設置されている。つまり、前記一方の壁面６４に、ユニット壁６２の端部が当接しており、ユニット壁６２を構成する収納家具５１の側板５２から前記一方の壁面６４にビス（図示しない）が打ち込まれることによって固定されている。
【００７０】
一方、ユニット壁６２の他方の端部には、連結間仕切り壁１が隣接設置され、ユニット壁６２を構成する収納家具５１の側板５２と連結間仕切り壁１の端部とが固定されている。
【００７１】
前記連結間仕切り壁１の端部のうち、ユニット壁６２の端部に固定されていない側の他方の端部は、部屋６１のコーナー部を形成する壁面のうちの他方の壁面６７に直交するように設置されている。つまり、前記他方の壁面６７に連結間仕切り壁１の端部が固定されている。
また、部屋６１のコーナー部を形成する壁面のうち他方の壁面６７に、該壁面６７に沿って収納家具５１，５１，５１が３つ隣接設置されており、この収納家具５１の側板５２に連結間仕切り壁１の端部が固定されている。
【００７２】
次に、本発明の第３の実施の形態における連結間仕切り壁１が設置されてなる間仕切り壁５の設置構造について説明する。
図１２に示すように、床面２０に収納家具５１，５１が２つ設置されており、この２つの収納家具５１，５１の間に前記建具ユニット２１が設置されてユニット壁６２が構成されている。
そして、このユニット壁６２が部屋６１を形成する壁面６４に対向するようにして設置されている。前記壁面６４には、互いに対向するようにして２つの連結間仕切り壁１，１が、前記壁面６４に直交するように設置されており、両連結間仕切り壁１，１の端部がこの壁面６４に固定されている。
【００７３】
連結間仕切り壁１の端部のうち、前記壁面６４に固定されていない側の端部はともに、ユニット壁６２の端部に設置されている。つまり、連結間仕切り壁１の端部とユニット壁６２を構成する収納家具５１の側板５２とがそれぞれ固定されている。
【００７４】
次に、本発明の第４の実施の形態における間仕切り壁５が設置されてなる間仕切り壁５の設置構造について説明する。
図１３に示すように、床面２０に収納家具５１，５１が２つ互いに隣接して設置されて第１の収納壁６９が構成されている。
そして、この第１の収納壁６９が、部屋６１のコーナー部を形成する壁面のうちの一方の壁面６４に直交するように設置されている。つまり、前記一方の壁面６４に、第１の収納壁６９の端部が当接し、第１の収納壁６９を構成する収納家具５１の側板５２が固定されている。
【００７５】
一方、部屋６１のコーナー部を形成する壁面のうち他方の壁面６７に、該壁面６７に沿って、かつ、前記一方の壁面６４に直交するように収納家具５１，５１が２つ隣接設置されて、第２の収納壁６９aが構成されている。つまり、第２の収納壁６９aは第１の収納壁６９に対向して設置されており、前記一方の壁面６４に第２の収納壁６９aを構成する収納家具５１の側板５２が固定されている。
【００７６】
また、第１の収納壁６９と第２の収納壁６９aに直交するように、２つの間仕切り壁５，５が設置されており、この２つの間仕切り壁５，５の間に建具ユニット２１aが設置されて、パネル壁７０が構成されている。
そして、このパネル壁７０が部屋６１を形成する壁面のうちの前記一方の壁面６４に対向し、かつ、前記他方の壁面６７にパネル壁７０の端部が固定されている。つまり、パネル壁７０を構成する間仕切り壁５の一方の端部が、他方の壁面６７に固定されるとともに、前記第２の収納壁６９aを構成する収納家具５１の側板５２に固定されている。
また、前記パネル壁７０の他方の端部は、第１の収納壁６９を構成する収納家具５１の側板５２に固定されている。
【００７７】
なお、本発明の第４の実施の形態で説明した建具ユニット２１aは、第１の実施の形態で説明した建具ユニット２１と異なり、建具ユニット２１aを構成する側板２２a,３９aの幅が、間仕切り壁５の幅と等しくなっている。
【００７８】
次に、本発明の第５の実施の形態における連結間仕切り壁１が設置されてなる間仕切り壁５の設置構造について説明する。
図１４に示すように、床面２０に収納家具５１，５１aが２つ互いに隣接して設置されており、一方の収納家具５１には、前記建具ユニット２１が連接されて第１のユニット壁７３が構成されている。
そして、この第１のユニット壁７３が部屋６１のコーナー部を形成する壁面のうちの一方の壁面６４に直交するように設置されている。つまり、前記一方の壁面６４に、第１のユニット壁７３の端部が当接しており、第１のユニット壁７３を構成する建具ユニット２１の側板３９が固定されている。
【００７９】
一方、部屋６１のコーナー部を形成する壁面のうちの他方の壁面６７に直交し、かつ前記一方の壁面６４に対向するようにして連結間仕切り壁１が設置されている。
つまり、連結間仕切り壁１の一方の端部が前記他方の壁面６７に固定され、他方の端部が、第１のユニット壁７３の端部のうち、前記他方の壁面６７に固定されていない側の端部に当接し、第１のユニット壁７３を構成する収納家具５１aの側板５２aに固定されている。
【００８０】
また、床面２０に収納家具５１,５１aが２つ互いに隣接して設置されており、一方の収納家具５１には、前記建具ユニット２１が連接されて第２のユニット壁７３aが構成されている。
そして、この第２のユニット壁７３aは、前記一方の壁面６４に対向する壁面７４に直交するように設置されている。つまり、前記壁面７４に、第２のユニット壁７３aの端部が当接しており、第２のユニット壁７３aを構成する建具ユニット２１の側板３９が固定されている。
一方、第２のユニット壁７３aの端部のうち、前記壁面７４に固定されていない側の他方の端部は、前記連結間仕切り壁１の端部に当接しており、第２のユニット壁７３aを構成する収納家具５１aの側板５２aと連結間仕切り壁１の端部とが固定されている。
【００８１】
なお、前記第１のユニット壁７３および第２のユニット壁７３aを構成する２つの収納家具５１，５１aのうち、前記連結間仕切り壁１に固定される収納家具５１a,５１aの建具５４a,５４aは、建具ユニット２１に固定される収納家具５１，５１の建具５４と異なり片開きとなっている。
【００８２】
次に、本発明の第６の実施の形態における連結間仕切り壁１が設置されてなる間仕切り壁５の設置構造について説明する。
この第６の実施の形態の間仕切り壁１の設置構造は、図１５に示すように、第５の実施の形態と異なり、前記第１のユニット壁７３と第２のユニット壁７３aを構成する収納家具５１，５１aおよび建具ユニット２１が違う点であり、その他の構造に関しては同様であるので、その説明を省略する。
【００８３】
つまり、第５の実施の形態の収納家具５１の側板５２の幅と異なる幅の側板５２bを備えた収納家具５１bが、該収納家具５１bの裏面を、収納家具５１の裏面に突き合わせて設置されている。
また、第５の実施の形態の収納家具５１aの側板５２aの幅と異なる幅の側板５２cを備えた収納家具５１cが、該収納家具５１cの裏面を、収納家具５１aの裏面に突き合わせて設置されている。
【００８４】
さらに、第６の実施の形態の建具ユニット２１bは、第５の実施の形態の建具ユニット２１に比して、その側板２２b,３９bの幅が広く、その幅は、前記収納家具５１の側板５２の幅と収納家具５１bの側板５２bの幅とを合わせた長さに等しい。
【００８５】
次に、本発明の第７の実施の形態における連結間仕切り壁１が設置されてなる間仕切り壁５の設置構造について説明する。
図１６に示すように、部屋６１を形成する壁面のうち一方の壁面６４の中央に吹き抜け７１が設けられている。そして、この吹き抜け７１を形成する壁面７２に隣接して、第６の実施の形態で説明した収納家具５１,５１bが、それぞれの裏面を互いに突き合わせて設置されている。
この吹き抜け７１を形成する壁面７２に、収納家具５１，５１bの側板５２，５２bがそれぞれ固定されている。
【００８６】
一方、部屋６１を形成する壁面のうち他方の壁面６７および、該他方の壁面６７に対向する壁面７４間に、第４の実施の形態で説明した２つの建具ユニット２１a，２１aと連結間仕切り壁１が設置されている。つまり、２つの建具ユニット２１a，２１aの間に連結間仕切り壁１が設置されており、２つの建具ユニット２１a，２１aの側板３９a，３９aが、前記他方の壁面６７および該他方の壁面６７に対向する壁面７４にそれぞれ固定されている。
【００８７】
また、連結間仕切り壁１に隣接して前記２つの収納家具５１，５１bの端部が設置されており、収納家具５１，５１bの側板５２，５２bと連結間仕切り壁１とが固定されている。
【００８８】
本発明の第１〜第７の実施の形態において、間仕切り壁５や収納家具５１，５１a，５１b，５１cや建具ユニット２１，２１a，２１bの数は、上述した数に限らず、適宜変更可能である。
【００８９】
【発明の効果】
請求項１の発明によれば、補強芯材の両面材に当接する面積がそれぞれ等しくなるとともに、バランス良く当接することによって、どちらの面材も等しく補強される。したがって、間仕切り壁全体としての強度をより一層向上させることができる。
【００９０】
また、両面材にバランス良く補強芯材が当接することによって、強度に優れた間仕切り壁とすることができる。
また、間仕切り壁の左右側端面に形成された凹溝に、連結部材を嵌めこむことによって、容易に連結間仕切り壁とすることができるとともに、強固に連結された連結間仕切り壁とすることができる。
さらに、間仕切り壁の上下端面に形成された凹溝に、連結部材を一方の間仕切り壁から他方の間仕切り壁に渡すようにして嵌めこむことによって、容易に連結間仕切り壁とすることができるとともに、より強固に連結された連結間仕切り壁とすることができる。
【００９１】
請求項２の発明によれば、請求項１と同様の効果を得ることができるのは勿論のこと、膨れや反り、曲がり等の変形がなく、しかも強度に優れた軽量な間仕切り壁とすることができる。
【００９２】
請求項４の発明によれば、間仕切り壁の左右側端面に形成された凹溝に、連結部材を嵌めこむことによって、容易に連結間仕切り壁とすることができるとともに、強固に連結された連結間仕切り壁とすることができる。
【００９３】
請求項５の発明によれば、請求項４と同様の効果を得ることができるのは勿論のこと、間仕切り壁の上下端面に形成された凹溝に、連結部材を一方の間仕切り壁から他方の間仕切り壁に渡すようにして嵌めこむことによって、容易に連結間仕切り壁とすることができるとともに、より強固に連結された連結間仕切り壁とすることができる。
【００９４】
請求項３の発明によれば、前記間仕切り壁を床面上に自立させることができるとともに、間仕切り壁と収納家具とによって部屋内を仕切ることができる。
また、模様替えも容易に行うことができるとともに、床面や天井面に傷をつけることもない。
【００９５】
請求項４の発明によれば、請求項３と同様の効果を得ることができるのは勿論のこと、間仕切り壁の両端部がそれぞれ固定された状態となり、より確実に間仕切り壁を床面上に設置することができるとともに、間仕切り壁と収納家具とによって、部屋内に仕切りを形成することができる。
【００９６】
請求項５の発明によれば、請求項４と同様の効果を得ることができるのは勿論のこと、床面上に、より確実にユニット壁を設置することができるとともに、間仕切り壁とユニット壁とによって部屋内を完全に仕切ることができる。
また、前記ユニット壁は建具ユニットを備えているので、この建具ユニットを開閉することによって、仕切られた部屋内の行き来を自由に行うことができる。
【００９７】
請求項６の発明によれば、請求項３〜５のいずれかと同様の効果を得ることができるのは勿論のこと、打ち込まれた止着材または、ねじ込まれた止着材が外側からは見えず、間仕切り壁と収納家具との接合部の見栄えが良い。
【００９８】
請求項７の発明によれば、請求項３〜６のいずれかと同様の効果を得ることができるのは勿論のこと、床面上に設置された間仕切り壁をずれることなく、確実に設置することができる。
また、防震性を向上させることができるとともに、床面と間仕切り壁との間の光漏れ等も防げる。
【図面の簡単な説明】
【図１】本発明の第１の実施の形態を示すためのもので、連結間仕切り壁の分解斜視図で、一部正断面図である。
【図２】同、(a)は、間仕切り壁の要部を示す斜視図、(b)は、互いに隣接する間仕切り壁の連結部分の要部を示す斜視図、(c)は、間仕切り壁と縦框材との連結部分の要部を示す斜視図である。
【図３】同、間仕切り壁の設置構造を示す斜視図である。
【図４】同、間仕切り壁の設置構造を示す平面図である。
【図５】同、建具ユニットの平断面図である。
【図６】同、蝶番の分解斜視図である。
【図７】同、蝶番の取付構造を示す平断面図である。
【図８】同、収納家具の下端部を示す斜視図である。
【図９】同、間仕切り壁の設置構造を示す平断面図である。
【図１０】同、間仕切り壁の設置構造を示す平面図である。
【図１１】本発明の第２の実施の形態を示すためのもので、間仕切り壁の設置構造を示す平面図である。
【図１２】本発明の第３の実施の形態を示すためのもので、間仕切り壁の設置構造を示す平面図である。
【図１３】本発明の第４の実施の形態を示すためのもので、間仕切り壁の設置構造を示す平面図である。
【図１４】本発明の第５の実施の形態を示すためのもので、間仕切り壁の設置構造を示す平面図である。
【図１５】本発明の第６の実施の形態を示すためのもので、間仕切り壁の設置構造を示す平面図である。
【図１６】本発明の第７の実施の形態を示すためのもので、間仕切り壁の設置構造を示す平面図である。
【符号の説明】
１  連結間仕切り壁
５  間仕切り壁
６  壁本体
７  補強芯材
７a  第１当接部
７b  第２当接部
９  面材
１０  凹溝
１１，１２a  連結部材
１４  弾性部材
２０  床面
２１  建具ユニット
２５  建具
５１  収納家具
５２  側面
６１  部屋
６２  ユニット壁
６４，６７  壁面
６６  止着材
【図１】
0004728523.tif 000002
【図２】
0004728523.tif 000003
【図３】
0004728523.tif 000004
【図４】
0004728523.tif 000005
【図５】
0004728523.tif 000006
【図６】
0004728523.tif 000007
【図７】
0004728523.tif 000008
【図８】
0004728523.tif 000009
【図９】
0004728523.tif 000010
【図１０】
0004728523.tif 000011
【図１１】
0004728523.tif 000012
【図１２】
0004728523.tif 000013
【図１３】
0004728523.tif 000014
【図１４】
0004728523.tif 000015
【図１５】
0004728523.tif 000016
【図１６】
0004728523.tif 000017